(57)【要約】【課題】入力に専用ペンを不要とし、かつ、文字等の情報をペン等の入力体で入力する際に、その入力体を持つ手の小指やその付け根部分等の不要部分が感知されないようになっている入力装置を備えた情報表示システムを提供する。【解決手段】ディスプレイＤを有するパソコンＰと、ディスプレイＤに表示された情報に加える新たな情報をペン等の入力体１０で入力できパソコンＰに出力する入力装置Ａとを備えている。入力装置Ａは、格子状のコア２がシート状のアンダークラッド層とオーバークラッド層とで挟持されたシート状の光導波路Ｗを備え、コア２の弾性率が、アンダークラッド層の弾性率およびオーバークラッド層の弾性率よりも大きく設定されている。また、格子状のコア２の交差部は、交差する少なくとも１方向が隙間により分断され不連続交差になっている。【選択図】図１
2015215668.tif 000002
【特許請求の範囲】
【請求項１】
情報表示用のディスプレイを有するパーソナルコンピュータと、上記ディスプレイに表示された情報に加える新たな情報を入力体の先端入力部の移動により入力し、その入力情報を上記パーソナルコンピュータに出力する入力装置とを備えた情報表示システムであって、上記入力装置が、下記（Ａ）の位置センサを備え、その位置センサのシート状光導波路の表面での上記入力体の先端入力部の移動軌跡を上記新たな情報とすることを特徴とする情報表示システム。
（Ａ）格子状に形成された複数の線状のコアと、このコアを支持するアンダークラッド層と、上記コアを被覆するオーバークラッド層とを有するシート状光導波路と、上記コアの一端面に接続される発光素子と、上記コアの他端面に接続される受光素子と、上記シート状光導波路の表面における入力体の先端入力部の移動軌跡を、その移動により変化したコアの光伝播量によって特定する移動軌跡特定手段とを備え、上記複数の線状のコアにより形成される格子状の一部ないし全部の交差部が、交差する少なくとも１方向を隙間により分断した状態の不連続交差に形成されており、上記コアの弾性率が、上記アンダークラッド層の弾性率および上記オーバークラッド層の弾性率よりも大きく設定され、上記シート状光導波路の表面における上記先端入力部による押圧状態で、その押圧方向のコアの断面の変形率が、オーバークラッド層およびアンダークラッド層の断面の変形率よりも小さくなるようになっている位置センサ。
【発明の詳細な説明】
【技術分野】
【０００１】
本発明は、ディスプレイに表示した資料等に、入力装置を利用して新たな情報を書き加えて表示する情報表示システムに関するものである。
【背景技術】
【０００２】
プレゼンテーションや会議等では、ＵＳＢメモリ等の情報記憶媒体に予め記憶させておいた資料等の情報を、パーソナルコンピュータ（以下「パソコン」という）を利用して、液晶パネル等のディスプレイに表示し、その表示された資料等について説明等が行われる。その説明の際には、上記表示された資料等に、文字，図，印等の新たな情報を書き加えるために、入力装置としてポインティングデバイス（例えば、特許文献１参照）が利用されている。
【０００３】
上記ポインティングデバイスは、専用ペンと専用ボードとを備えており、その専用ボード上で専用ペンを移動させることにより、文字等の情報を入力するようになっている。すなわち、専用ボード上での専用ペンの先端の軌跡（文字等の入力情報）を、電磁誘導を利用して検知し、その軌跡を信号として上記パソコンに出力し、ディスプレイに表示することができるようになっている。このように、上記ポインティングデバイスは、文字，図，印等の入力が直感的にできるようになっている。
【先行技術文献】
【特許文献】
【０００４】
【特許文献１】特開２００４−２０６６１３号公報
【発明の概要】
【発明が解決しようとする課題】
【０００５】
しかしながら、上記ポインティングデバイスは、専用ペンと専用ボードとが必要であることから、会議等で多人数が専用ボードを利用する場合は、１本の専用ペンを順番に回すか、または、専用ペンを多数準備する必要がある。
【０００６】
そこで、本出願人は、文字等の直感的な入力を可能にしたまま、専用ペンおよび専用ボードを不要にした入力装置を提案し既に出願している（特開２０１２−１５５６９７号公報）。その入力装置は、四角枠状の光導波路を備えており、その四角枠状の内側の中空部に、光を格子状に走らせるようになっている。そして、その状態で、上記中空部に、ペン等の入力体で、文字等を入力すると、上記格子状に走る光をペン先が遮光し、その遮光位置からペン先の位置が検知され、入力した文字等をディスプレイに表示することができるようになっている。このように、ペン先の遮光により入力した文字等を検知するため、専用ペンも専用ボードも不要にすることができる。
【０００７】
しかしながら、その入力装置では、場合によって、ペン等の入力体を持つ手の小指やその付け根部分（小指球）等が上記中空部内に入ると、その手の部分も上記格子状の光を遮光するため、入力した情報であると判断されディスプレイに表示されることがある。その手の部分の表示は、不要なものである。
【０００８】
本発明は、このような事情に鑑みなされたもので、上記のような遮光を利用するものではなく、光導波路に加えられるペン等の入力体による筆圧に基づくコアの光伝播の変化を利用するものであり、入力に専用ペンを不要とし、かつ、文字等の情報をペン等の入力体で入力する際に、その入力体を持つ手の小指やその付け根部分等の不要部分が感知されないようになっている入力装置を備えた情報表示システムの提供をその目的とする。
【課題を解決するための手段】
【０００９】
上記の目的を達成するため、本発明の情報表示システムは、情報表示用のディスプレイを有するパソコンと、上記ディスプレイに表示された情報に加える新たな情報を入力体の先端入力部の移動により入力し、その入力情報を上記パソコンに出力する入力装置とを備えた情報表示システムであって、上記入力装置が、下記（Ａ）の位置センサを備え、その位置センサのシート状光導波路の表面での上記入力体の先端入力部の移動軌跡を上記新たな情報とするという構成をとる。
（Ａ）格子状に形成された複数の線状のコアと、このコアを支持するアンダークラッド層と、上記コアを被覆するオーバークラッド層とを有するシート状光導波路と、上記コアの一端面に接続される発光素子と、上記コアの他端面に接続される受光素子と、上記シート状光導波路の表面における入力体の先端入力部の移動軌跡を、その移動により変化したコアの光伝播量によって特定する移動軌跡特定手段とを備え、上記複数の線状のコアにより形成される格子状の一部ないし全部の交差部が、交差する少なくとも１方向を隙間により分断した状態の不連続交差に形成されており、上記コアの弾性率が、上記アンダークラッド層の弾性率および上記オーバークラッド層の弾性率よりも大きく設定され、上記シート状光導波路の表面における上記先端入力部による押圧状態で、その押圧方向のコアの断面の変形率が、オーバークラッド層およびアンダークラッド層の断面の変形率よりも小さくなるようになっている位置センサ。
【００１０】
なお、本発明において、「変形率」とは、押圧方向における、コア，オーバークラッド層およびアンダークラッド層の押圧前の各厚みに対する、押圧時の各厚みの変化量の割合をいう。また、先端入力部の「移動」には、移動距離が０（零）の場合を含み、その場合の「移動軌跡」は、点となる。
【００１１】
そして、上記シート状光導波路において、上記複数の線状のコアにより形成される格子状の一部ないし全部の交差部が、交差する少なくとも１方向を隙間により分断した状態の不連続交差に形成されていると、光の交差損失を低減させることができる。このような知見を本発明者らは得ている。
【発明の効果】
【００１２】
本発明の情報表示システムは、入力体（ペン等）の先端入力部（ペン先等）の移動軌跡の検知手段として、複数の線状のコアが格子状に配置形成されたシート状光導波路を備えた入力装置を用いている。すなわち、上記シート状光導波路の表面における入力体の先端入力部の移動軌跡を、その移動により変化したコアの光伝播量によって特定するようになっている。そのため、入力に専用ペンは不要であり、入力体として、通常の筆記に用いるペンやインクが出ない単なる細長い棒状の物等を用いることができる。また、上記シート状光導波路は、コアの弾性率が、アンダークラッド層の弾性率およびオーバークラッド層の弾性率よりも大きく設定されている。そのため、シート状光導波路のオーバークラッド層の表面を押圧したときに、その押圧方向のコアの断面の変形率が、オーバークラッド層およびアンダークラッド層の断面の変形率よりも小さくなり、押圧方向のコアの断面積が保持される。そして、上記シート状光導波路の表面において、入力体の先端入力部を移動させることにより、文字等の情報を入力すると、その先端入力部による押圧部分では、コアの曲がり具合が入力体の先端入力部に沿った急なものとなり、コアからの光の漏れ（散乱）が発生し、入力体を持つ手の部分による押圧部分では、コアの曲がり具合が手に沿った緩やかなものとなり、上記光の漏れ（散乱）が発生しないようにすることができる。そのため、ペン先等の先端入力部で押圧されたコアでは、受光素子での光の検出レベル（受光量）が低下し、入力体を持つ手の部分で押圧されたコアでは、その検出レベルが低下しないようにすることができる。そして、その光の検出レベルの低下から、移動軌跡特定手段により、ペン先等の先端入力部の位置（座標）を検知することができ、その検出レベルが低下しない手の部分は、押圧されていない状態と同じになるため、感知されないようにすることができる。しかも、上記コアにより形成される格子状の一部ないし全部の交差部が、交差する少なくとも１方向を隙間により分断した状態の不連続交差に形成されていることから、光の交差損失を低減させることができる。そのため、上記ペン先等の先端の位置の検知感度を高めることができる。その結果、ペン先等の先端入力部の移動軌跡（入力した文字等の情報）のみを検知し、ディスプレイに表示された情報に加えて表示することができる。
【図面の簡単な説明】
【００１３】
【図１】本発明の情報表示システムの一実施の形態を模式的に示す説明図である。
【図２】上記情報表示システムを構成する入力装置を模式的に示す平面図である。
【図３】（ａ）は、上記入力装置における格子状のコアの交差部を拡大して模式的に示す拡大平面図であり、（ｂ）は、上記入力装置の中央部の断面を拡大して模式的に示す拡大断面図である。
【図４】（ａ）は、連続交差部における光の進路を模式的に示す拡大平面図であり、（ｂ）は、不連続交差部における光の進路を模式的に示す拡大平面図である。
【図５】（ａ）は、入力体により押圧された上記入力装置のシート状光導波路の状態を模式的に示す断面図であり、（ｂ）は、手により押圧された上記シート状光導波路の状態を模式的に示す断面図である。
【図６】（ａ）〜（ｅ）は、上記格子状のコアの交差部の変形例を模式的に示す拡大平面図である。
【発明を実施するための形態】
【００１４】
つぎに、本発明の実施の形態を図面にもとづいて詳しく説明する。
【００１５】
図１は、本発明の情報表示システムの一実施の形態を示している。この実施の形態の情報表示システムは、ディスプレイＤを有するパソコンＰと、上記ディスプレイＤに表示された情報に加える新たな情報をペン等の入力体１０で入力でき、その入力情報を上記パソコンＰに出力する入力装置Ａとを備えている。その入力情報の、入力装置ＡからパソコンＰへの伝達は、この実施の形態では、ＵＳＢケーブル等の接続ケーブルＣにより行っており、そのために、その接続ケーブルＣでパソコンＰと入力装置Ａとを接続している。
【００１６】
上記入力装置Ａは、その平面図を図２に示すように、格子状のコア２を有する四角形のシート状光導波路Ｗと、上記格子状のコア２を構成する線状のコア２の一端面に接続される発光素子４と、上記線状のコア２の他端面に接続される受光素子５と、上記入力装置Ａを制御するＣＰＵ（中央処理装置）（図示せず）ならびに上記発光素子４および上記受光素子５が搭載された回路基板６とを備えている。この実施の形態では、これらシート状光導波路Ｗおよび回路基板６が、樹脂板や金属板等の剛性板７の表面に設けられている。また、この実施の形態では、上記発光素子４やＣＰＵ等に必要な電源は、パソコンＰから接続ケーブルＣを介して供給されるようになっている（図１参照）。そして、上記発光素子４から発光された光は、上記コア２の中を通り、上記受光素子５で受光されるようになっている。なお、図２では、コア２を鎖線で示しており、鎖線の太さがコア２の太さを示している。また、図２では、コア２の数を略して図示している。さらに、図２の矢印は、光の進む方向を示している。
【００１７】
そして、この実施の形態では、上記シート状光導波路Ｗにおける格子状のコア２の各交差部は、図３（ａ）に平面図で示すように、交差する４方向の全てが、隙間Ｇにより分断され、不連続になっている。上記隙間Ｇの幅ｄは、０（零）を超え（隙間Ｇが形成されていればよく）、通常、２０μｍ以下に設定される。そして、上記シート状光導波路Ｗは、図３（ｂ）に断面図で示すように、上記格子状のコア２がシート状のアンダークラッド層１で支持されシート状のオーバークラッド層３で被覆された状態で形成されている。この実施の形態では、上記隙間Ｇは、オーバークラッド層３の形成材料で形成されている。
【００１８】
このように、上記格子状のコア２において、交差部を不連続とすると、光の交差損失を低減させることができる。すなわち、図４（ａ）に示すように、交差する４方向の全てが連続した交差部では、その交差する１方向〔図４（ａ）では上方向〕に注目すると、交差部に入射する光の一部は、その光が進んできたコア２と直交するコア２の壁面２ａに到達し、その壁面での反射角度が大きいことから、コア２を透過する〔図４（ａ）の二点鎖線の矢印参照〕。このような光の透過が、交差する上記と反対側の方向〔図４（ａ）では下方向〕でも発生する。これに対し、図４（ｂ）に示すように、交差する１方向〔図４（ｂ）では上方向〕が隙間Ｇにより不連続になっていると、上記隙間Ｇとコア２との界面が形成され、図４（ａ）においてコア２を透過する光の一部は、上記界面での反射角度が小さくなることから、透過することなく、その界面で反射し、コア２を進み続ける〔図４（ｂ）の二点鎖線の矢印参照〕。このような光の反射が、交差する上記と反対側の方向〔図４（ｂ）では下方向〕でも発生する。このことから、先に述べたように、交差部を不連続とすると、光の交差損失を低減させることができるのである。
【００１９】
また、上記シート状光導波路Ｗにおいて、上記コア２の弾性率が、上記アンダークラッド層１の弾性率および上記オーバークラッド層３の弾性率よりも大きく設定されている。これにより、上記シート状光導波路Ｗの表面を押圧したときに、その押圧方向のコア２の断面の変形率が、オーバークラッド層３およびアンダークラッド層１の断面の変形率よりも小さくなるようになっている。
【００２０】
このような構成の上記入力装置Ａでは、格子状のコア２に対応する部分が入力領域となっている。そして、ペン等の入力体１０（図１参照）による上記入力装置Ａへの情報の入力は、その入力領域における上記シート状光導波路Ｗのオーバークラッド層３の表面に文字等を書くように、そのオーバークラッド層３の表面で、入力体１０の先端入力部（ペン先等）１０ａ（図１参照）を移動させることにより行われる。すなわち、図５（ａ），（ｂ）に断面図で示すように、上記入力装置Ａのシート状光導波路Ｗのオーバークラッド層３の表面に、手２０に持ったペン等の入力体１０で文字等の情報を書き込む等して入力すると、ペン先等の先端入力部１０ａによる押圧部分〔図５（ａ）参照〕も手２０の小指やその付け根部分（小指球）等による押圧部分〔図５（ｂ）参照〕も、その押圧方向の断面では、弾性率の小さいオーバークラッド層３がつぶれるように変形し、弾性率の大きいコア２は、断面積を保持したまま、先端入力部１０ａや手２０の部分に沿って、弾性率の小さいアンダークラッド層１に沈むように曲がる。
【００２１】
そして、先端入力部１０ａによる押圧部分では、図５（ａ）に示すように、その先端入力部１０ａが尖っていることから、コア２の曲がり具合が急なものとなり、コア２からの光の漏れ（散乱）が発生する〔図５（ａ）の二点鎖線の矢印参照〕。一方、入力体１０を持つ手２０による押圧部分では、図５（ｂ）に示すように、その手２０が上記先端入力部１０ａと比較してかなり大きくて丸くなっていることから、コア２の曲がり具合が緩やかなものとなり、上記光の漏れ（散乱）が発生しない（光はコア２内を漏れることなく進む）〔図５（ｂ）の二点鎖線の矢印参照〕。そのため、先端入力部１０ａで押圧されたコア２では、受光素子５での光の検出レベルが低下し、入力体１０を持つ手２０で押圧されたコア２では、その検出レベルが低下しないようにすることができる。そして、その光の検出レベルの低下から、先端入力部１０ａの位置（座標）を検知することができる。その検出レベルが低下しない手２０の部分は、押圧されていない状態と同じであるため、感知されない。
【００２２】
このとき、先に述べたように、上記コア２により形成される格子状の交差部は、不連続交差に形成されていることにより、光の交差損失が低減された状態になっていることから、上記ペン先等の先端入力部１０ａの位置の検知感度が高くなっている。
【００２３】
そこで、上記入力装置ＡのＣＰＵには、上記受光素子５での光の検出レベルの低下から、先端入力部１０ａの移動軌跡を特定するプログラム（移動軌跡特定手段）が組み込まれている。すなわち、上記入力装置Ａは、情報の入力に用いる入力体（ペン等）１０の先端入力部（ペン先等）１０ａの位置を検知する位置センサになっている。そして、上記入力体１０の先端入力部１０ａの移動軌跡を示すデータは、接続ケーブルＣを介して上記パソコンＰに出力され、そのパソコンＰで適正に画像化処理され、上記移動軌跡がディスプレイＤに表示されるようになっている。
【００２４】
このように、上記情報表示システムでは、入力装置Ａにおいて、入力体（ペン等）１０の先端入力部（ペン先等）１０ａの移動軌跡の検知手段として、複数の線状のコア２が格子状に配置形成されたシート状光導波路Ｗを用いているため、入力に専用ペンは不要であり、入力体１０として、通常の筆記に用いるペンやインクが出ない単なる細長い棒状の物等を用いることができる。そのため、上記入力装置Ａを多人数で利用しても、不都合な点はない。
【００２５】
また、上記シート状光導波路Ｗにおいて、コア２の弾性率が、アンダークラッド層１の弾性率およびオーバークラッド層３の弾性率よりも大きく設定されているため、入力体１０を持つ手２０がシート状光導波路Ｗを押圧しても、上記のように、先端入力部１０ａの位置のみを検知し、手２０の部分は感知されないようにすることができる。しかも、格子状のコア２の交差部が不連続交差に形成されているため、光の交差損失を低減することができ、上記ペン先等の先端入力部１０ａの位置の検知感度を高くすることができる。
【００２６】
さらに、上記入力装置Ａへの入力時には、入力体１０の先端入力部１０ａが押圧するシート状光導波路Ｗの部分が、上記のように変形するため、紙に近い感触で入力することができ、書き味が良好である。
【００２７】
ここで、パソコンＰのディスプレイＤには、一般に、プレゼンテーションや会議等で説明に用いる資料等の情報が表示される。そして、上記のように入力装置Ａに文字等の情報を入力すると、上記ディスプレイＤには、上記資料等の情報に、上記入力装置Ａで入力した文字等の情報が重ね合わさった状態で表示される。この表示を可能にするために、入力装置Ａの入力領域の座標をディスプレイＤの画面の座標に変換し、入力装置Ａで入力した文字等をディスプレイＤに表示するソフトウェア（プログラム）が、上記パソコンＰに組み込まれている。また、上記資料等の情報は、通常、上記パソコンＰ内のハードディスクや外部のＵＳＢメモリ等の情報記憶媒体に予め記憶させておき、その情報記憶媒体から出力される。そして、上記ディスプレイＤに表示された、上記資料等の情報と上記入力装置Ａで入力した文字等の情報とが重ね合わさった情報は、上記情報記憶媒体に記憶可能となっている。上記パソコンＰとは、一般的なパソコンだけでなく、そのパソコンと同様な機能を有するスマートフォン，タブレット端末等の機器を含む意味である。
【００２８】
なお、上記入力体１０の先端入力部１０ａによる押圧が解除される（先端入力部１０ａが移動したり書き込み等の入力が終了したりする）と、上記アンダークラッド層１，コア２およびオーバークラッド層３は、各自の復元力により、元の状態〔図３（ｂ）参照〕に戻る。そして、上記コア２の、アンダークラッド層１への沈み込み深さＬは、最大で２０００μｍまでとすることが好ましい。それを超えると、上記アンダークラッド層１，コア２およびオーバークラッド層３が元の状態に戻らなくなったり、シート状光導波路Ｗに割れが発生したりするおそれがある。
【００２９】
ここで、上記コア２，アンダークラッド層１およびオーバークラッド層３の弾性率等について、より詳しく説明する。
【００３０】
上記コア２の弾性率は、１ＧＰａ〜１０ＧＰａの範囲内であることが好ましく、より好ましくは、２ＧＰａ〜５ＧＰａの範囲内である。コア２の弾性率が低過ぎると、ペン先等の先端入力部１０ａの形状により、その先端入力部１０ａの圧力で、コア２の断面積が保持されない（コア２がつぶれる）場合があり、先端入力部１０ａの位置を適正に検知できないおそれがある。一方、コア２の弾性率が高過ぎると、先端入力部１０ａの圧力によるコア２の曲がりが、その先端入力部１０ａに沿った急な曲がりにならずに緩やかな曲がりになる場合がある。そのため、コア２からの光の漏れ（散乱）が発生せず、受光素子５での光の検出レベルが低下しなくなることから、先端入力部１０ａの位置を適正に検知できないおそれがある。なお、コア２の寸法は、例えば、厚みが５〜１００μｍの範囲内、幅が５〜５００μｍの範囲内に設定される。
【００３１】
上記オーバークラッド層３の弾性率は、０．１ＭＰａ以上１０ＧＰａ未満の範囲内であることが好ましく、より好ましくは、１ＭＰａ以上５ＧＰａ未満の範囲内である。オーバークラッド層３の弾性率が低過ぎると、柔らかすぎて、ペン先等の先端入力部１０ａの形状により、その先端入力部１０ａの圧力で、オーバークラッド層３が破損する場合があり、コア２を保護することができなくなるおそれがある。一方、オーバークラッド層３の弾性率が高過ぎると、先端入力部１０ａや手２０の圧力によっても、オーバークラッド層３がつぶれるように変形しなくなり、それにより、コア２がつぶれ、先端入力部１０ａの位置を適正に検知できないおそれがある。なお、オーバークラッド層３の厚みは、例えば、１〜２００μｍの範囲内に設定される。
【００３２】
上記アンダークラッド層１の弾性率は、０．１ＭＰａ〜１ＧＰａの範囲内であることが好ましく、より好ましくは、１ＭＰａ〜１００ＭＰａの範囲内である。アンダークラッド層１の弾性率が低過ぎると、柔らかすぎて、ペン先等の先端入力部１０ａで押圧した後、アンダークラッド層１が元の状態に戻らず、入力が連続的に行えない場合がある。一方、アンダークラッド層１の弾性率が高過ぎると、先端入力部１０ａや手２０の圧力によっても、アンダークラッド層１がつぶれるように変形しなくなり、それにより、コア２がつぶれ、先端入力部１０ａの位置を適正に検知できないおそれがある。なお、アンダークラッド層１の厚みは、例えば、２０〜２０００μｍの範囲内に設定される。
【００３３】
上記コア２，アンダークラッド層１およびオーバークラッド層３の形成材料としては、感光性樹脂，熱硬化性樹脂等があげられ、その形成材料に応じた製法により、シート状光導波路Ｗを作製することができる。また、上記コア２の屈折率は、上記アンダークラッド層１およびオーバークラッド層３の屈折率よりも大きく設定されている。そして、上記弾性率および屈折率の調整は、例えば、各形成材料の種類の選択や組成比率を調整して行うことができる。なお、上記アンダークラッド層１として、ゴムシートを用い、そのゴムシート上にコア２を格子状に形成するようにしてもよい。
【００３４】
また、上記アンダークラッド層１の裏面（アンダークラッド層１と剛性板７との間）に、ゴム層等の弾性層を設けてもよい。この場合、アンダークラッド層１，コア２およびオーバークラッド層３の復元力が弱くなったり、それらが元々復元力の弱い材料からなるものであったりしても、上記弾性層の弾性力を利用して、上記弱い復元力を補助し、入力体１０の先端入力部１０ａによる押圧が解除された後、元の状態に戻すことができる。
【００３５】
さらに、入力装置Ａを複数用いてもよい。この場合、複数の人数での利用が容易となる。また、この場合、どの入力装置Ａから入力された情報かがわかるよう、ディスプレイＤに表示する情報を、入力装置Ａによって色分けしてもよい。さらに、複数の入力装置Ａを複数の場所（会場等）に分散させ、複数の場所で同時に、プレゼンテーションや会議等を行ってもよい。この場合、ある一つの場所のパソコンＰをホストパソコンＰとし、別の場所のパソコンＰを中継パソコンＰとし、それぞれのパソコンＰを通信可能に接続する。
【００３６】
また、上記のように、ペン先等の先端入力部１０ａの位置のみが検出され、ペン等の入力体１０を持つ手２０が感知されないようにするためには、先端入力部１０ａによる押圧部分でのコア２の急な曲がりによる光の漏れ（散乱）量が重要である。そこで、例えば、ペン先等の先端入力部１０ａの曲率半径Ｒ（単位：μｍ）と、コア２の厚みＴ（単位：μｍ）との比Ａ（＝Ｒ／Ｔ）を用い、コア２とアンダークラッド層１およびオーバークラッド層３との間の屈折率差Δを規定すると、その屈折率差Δの最大値Δmax は、下記の式（１）のようになる。すなわち、屈折率差Δがこの最大値Δmax よりも大きいと、先端入力部１０ａで押圧しても、光の漏れ（散乱）量が少なく、受光素子５での光の検出レベルが充分に低下しないため、先端入力部１０ａの位置と手２０の位置との区別が困難になる。
【００３７】
【数１】
2015215668.tif 000003
【００３８】
一方、屈折率差Δの最小値Δmin は、下記の式（２）のようになる。すなわち、屈折率差Δがこの最小値Δmin よりも小さいと、手２０による押圧部分でも、光の漏れ（散乱）が発生し、先端入力部１０ａの位置と手２０の位置との区別が困難になる。
【００３９】
【数２】
2015215668.tif 000004
【００４０】
そのため、上記屈折率差Δは、最小値Δmin と最大値Δmax との間に設定することが好ましい。ここで、例えば、上記先端入力部１０ａの曲率半径Ｒ（単位：μｍ）を１００〜１０００の範囲内、コア２の厚みＴ（単位：μｍ）を１０〜１００の範囲内、比Ａを１〜１００の範囲内とすると、屈折率差Δは、１．０×１０-3〜７．９５×１０-2の範囲内となる。なお、比Ａが１００を超える場合は、最小値Δmin を１．０×１０-3（一定）とする。
【００４１】
なお、上記実施の形態では、格子状のコア２の交差部を、交差する４方向の全てが不連続になっている不連続交差〔図３（ａ）参照〕としたが、他の不連続交差でもよい。例えば、図６（ａ）に示すように、交差する１方向のみが、隙間Ｇにより分断され、不連続になっているものでもよいし、図６（ｂ），（ｃ）に示すように、交差する２方向〔図６（ｂ）は対向する２方向、図６（ｃ）は隣り合う２方向〕が不連続になっているものでもよいし、図６（ｄ）に示すように、交差する３方向が不連続になっているものでもよい。さらに、図３（ａ），図６（ａ）〜（ｄ）に示す上記不連続交差、および交差する４方向の全てが連続した連続交差〔図６（ｅ）参照〕のうちの２種類以上の交差を備えた格子状としてもよい。
【００４２】
また、上記実施の形態では、入力装置ＡからパソコンＰへの情報伝達を接続ケーブルＣにより行ったが、無線で行ってもよい。その場合、入力装置Ａに必要な電源が、接続ケーブルＣを介してパソコンＰから供給されないため、入力装置Ａに電池等の電源が設けられる。
【００４３】
さらに、上記実施の形態では、シート状光導波路Ｗを支持するために剛性板７を設けたが、その剛性板７を設けなくてもよい。その場合は、上記入力装置Ａのシート状光導波路Ｗをテーブル等の硬い平面台の上に載置した状態で、入力する。
【００４４】
つぎに、実施例について比較例と併せて説明する。但し、本発明は、実施例に限定されるわけではない。                                                                
【実施例】
【００４５】
〔オーバークラッド層の形成材料〕
成分ａ：エポキシ樹脂（四日市合成社製、エポゴーセーＰＴ）３０重量部。
成分ｂ：エポキシ樹脂（ダイセル社製、ＥＨＰＥ３１５０）７０重量部。
成分ｃ：光酸発生剤（サンアプロ社製、ＣＰＩ２００Ｋ）４重量部。
成分ｄ：乳酸エチル（和光純薬工業社製）１００重量部。
これら成分ａ〜ｄを混合することにより、オーバークラッド層の形成材料を調製した。
【００４６】
〔コアの形成材料〕
成分ｅ：エポキシ樹脂（ダイセル社製、ＥＨＰＥ３１５０）８０重量部。
成分ｆ：エポキシ樹脂（新日鉄化学社製、ＹＤＣＮ７００−１０）２０重量部。
成分ｇ：光酸発生剤（ＡＤＥＫＡ社製、ＳＰ１７０）１重量部。
成分ｈ：乳酸エチル（和光純薬工業社製）５０重量部。
これら成分ｅ〜ｈを混合することにより、コアの形成材料を調製した。
【００４７】
〔アンダークラッド層の形成材料〕
成分ｉ：エポキシ樹脂（四日市合成社製、エポゴーセーＰＴ）７５重量部。
成分ｊ：エポキシ樹脂（三菱化学社製、ＪＥＲ１００７）２５重量部。
成分ｋ：光酸発生剤（サンアプロ社製、ＣＰＩ２００Ｋ）４重量部。
成分ｌ：乳酸エチル（和光純薬工業社製）５０重量部。
これら成分ｉ〜ｌを混合することにより、アンダークラッド層の形成材料を調製した。
【００４８】
〔シート状光導波路の作製〕
ガラス製基材の表面に、上記オーバークラッド層の形成材料を用いて、スピンコート法により、オーバークラッド層を形成した。このオーバークラッド層の厚みは５μｍ、弾性率は１．２ＧＰａ、屈折率は１．５０３であった。
【００４９】
ついで、上記オーバークラッド層の表面に、上記コアの形成材料を用いて、フォトリソグラフィ法により、格子状のコアを形成した。この格子状の各交差部は、交差する４方向の全てが隙間により分断され不連続になっている不連続交差とした〔図３（ａ）参照〕。。上記隙間の幅は１０μｍとした。また、上記コアの厚みは３０μｍ、格子状部分のコアの幅は１００μｍ、ピッチは６００μｍ、弾性率は３ＧＰａ、屈折率は１．５２３であった。
【００５０】
つぎに、上記コアを被覆するように、上記オーバークラッド層の表面に、上記アンダークラッド層の形成材料を用いて、スピンコート法により、アンダークラッド層を形成した。このアンダークラッド層の厚み（オーバークラッド層の表面からの厚み）は２００μｍ、弾性率は３ＭＰａ、屈折率は１．５０３であった。
【００５１】
そして、ＰＥＴ製基板（厚み１ｍｍ）の片面に、両面テープ（厚み２５μｍ）を貼着したものを準備した。ついで、その両面テープのもう一方の粘着面を上記アンダークラッド層の表面に貼着し、その状態で、上記オーバークラッド層を上記ガラス製基材から剥離した。
【００５２】
〔比較例〕
〔オーバークラッド層の形成材料〕
成分ｍ：エポキシ樹脂（四日市合成社製、エポゴーセーＰＴ）４０重量部。
成分ｎ：エポキシ樹脂（ダイセル社製、２０２１Ｐ）６０重量部。
成分ｏ：光酸発生剤（ＡＤＥＫＡ社製、ＳＰ１７０）４重量部。
これら成分ｍ〜ｏを混合することにより、オーバークラッド層の形成材料を調製した。
【００５３】
〔コアの形成材料〕
成分ｐ：エポキシ樹脂（四日市合成社製、エポゴーセーＰＴ）３０重量部。
成分ｑ：エポキシ樹脂（ＤＩＣ社製、ＥＸＡ−４８１６）７０重量部。
成分ｒ：光酸発生剤（ＡＤＥＫＡ社製、ＳＰ１７０）４重量部。
これら成分ｐ〜ｒを混合することにより、コアの形成材料を調製した。
【００５４】
〔アンダークラッド層の形成材料〕
成分ｓ：エポキシ樹脂（四日市合成社製、エポゴーセーＰＴ）４０重量部。
成分ｔ：エポキシ樹脂（ダイセル社製、２０２１Ｐ）６０重量部。
成分ｕ：光酸発生剤（ＡＤＥＫＡ社製、ＳＰ１７０）４重量部。
これら成分ｓ〜ｕを混合することにより、アンダークラッド層の形成材料を調製した。
【００５５】
〔シート状光導波路の作製〕
上記実施例と同様にして、同寸法のシート状光導波路を作製した。ただし、弾性率は、オーバークラッド層が１ＧＰａ、コアが２５ＭＰａ、アンダークラッド層が１ＧＰａであった。また、屈折率は、オーバークラッド層が１．５０４、コアが１．５３２、アンダークラッド層が１．５０４であった。
【００５６】
〔入力装置の作製〕
上記実施例および比較例の各シート状光導波路のコアの一端面に、発光素子（Optowell社製、XH85-S0603-2s ）を接続し、コアの他端面に、受光素子（浜松ホトニクス社製、s10226）を接続し、上記発光素子，上記受光素子，入力装置を制御するＣＰＵ等を搭載した回路を設け、実施例および比較例の各入力装置を作製した。
【００５７】
〔情報表示システムの作製〕
ディスプレイ付きパソコンを準備し、接続ケーブルで上記入力装置と接続し、情報表示システムを作製した。上記パソコンには、入力装置の入力領域の座標を、ディスプレイの画面の座標に変換し、入力装置で入力した文字等をディスプレイに表示するソフトウェア（プログラム）が、組み込まれている。
【００５８】
〔情報表示システムの作動確認〕
資料等の情報を記憶したＵＳＢメモリを準備し、そのＵＳＢメモリの記憶情報を、上記パソコンを利用して、上記ディスプレイに表示した。この状態で、入力者がボールペン（ペン先の曲率半径３５０μｍ）を手に持ち、上記入力装置の入力領域内で、文字を入力した。
【００５９】
その結果、実施例の入力装置を用いた情報表示システムでは、入力した文字のみが、上記ディスプレイに表示されている資料等の情報に重ね合わさった状態で、表示された。それに対して、比較例の入力装置を用いた情報表示システムでは、入力した文字だけでなく、ボールペンを持つ手の部分も、上記ディスプレイに表示されている資料等の情報に重ね合わさった状態で、表示された。
【００６０】
また、上記ボールペンに代えて、単なる棒体（先端の曲率半径５５０μｍ）を使用して上記と同様に入力しても、上記と同様の結果が得られた。
【００６１】
これらの結果から、実施例の入力装置は、入力体を代えても、入力された情報のみを検知でき、不要な情報は検知しないようにできることがわかる。
【００６２】
また、格子状のコアの各交差部を、交差する１〜３方向が不連続になっている不連続交差〔図６（ａ）〜（ｄ）参照〕としても、上記実施例と同様の傾向を示す結果が得られた。さらに、交差する１〜４方向が不連続になっている不連続交差〔図３（ａ），図６（ａ）〜（ｄ）参照〕、および交差する４方向の全てが連続した連続交差〔図６（ｅ）参照〕のうちの２種類以上の交差を備えた格子状としても、上記実施例と同様の傾向を示す結果が得られた。
【産業上の利用可能性】
【００６３】
本発明の情報表示システムは、プレゼンテーションや会議等において、ディスプレイに表示した資料等に、入力装置を利用して新たな情報を書き加えて表示することに利用可能である。
【符号の説明】
【００６４】
Ａ  入力装置
Ｄ  ディスプレイ
Ｐ  パソコン
Ｗ  シート状光導波路
２  コア
１０  入力体
【図１】
2015215668.tif 000005
【図２】
2015215668.tif 000006
【図３】
2015215668.tif 000007
【図４】
2015215668.tif 000008
【図５】
2015215668.tif 000009
【図６】
2015215668.tif 000010